Podtech/llm-jp-corpus-v4-ja_patent huggingface dataset:
【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
尿あるいは腐敗臭を発しうる液体で床面が濡れて悪臭が発生する環境を消臭する消臭マットセットであって、
前記床面に敷かれ、吸水機能と保水機能と水分蒸散機能とを併せ持つ下マットと、
前記下マット載置され、吸水性のない剛性素材によって形成された複数の通液孔を有する上マットと、
消臭機能と芽胞形成機能とを併せ持つ通性好気性の微生物が添加された培養液とを含み、
前記培養液は定期的にまたは随意の時間間隔で前記下マットに散布されて保持されることを特徴とする消臭マットセット。
【請求項２】
尿あるいは腐敗臭を発しうる液体で床面が濡れて悪臭が発生する環境を消臭する消臭マットセットであって、
前記床面に敷かれ、吸水機能と保水機能と水分蒸散機能とを併せ持ち、消臭機能と芽胞形成機能とを併せ持つ通性好気性の微生物が添加された培養液を含む下マットと、
前記下マットに載置され、吸水性のない剛性素材によって形成された複数の通液孔を有する上マットとを含むことを特徴とする消臭マットセット。
【請求項３】
前記水分蒸散機能は、前記下マットに保水されている水分のうち９０重量％以上が８時間以内に蒸散されるものである、請求項１または２に記載の消臭マットセット。
【請求項４】
前記吸水機能は、バイレック法（ＪＩＳ  Ｌ  １９０７：２０１０）における吸水速度表示で８０ｍｍ／１０分以上である、請求項１〜３のいずれか１項に記載の消臭マットセット。
【請求項５】
前記保水機能は、保水量表示で１０ｇ／１００ｃｍ２以上である、請求項３または４に記載の消臭マットセット。
【請求項６】
前記下マットが、コットン織物またはコットン不織布をポリエステル・レーヨン織物またはポリエステル・レーヨン不織布で挟持した積層構造物である請求項１〜５のいずれか１項に記載の消臭マットセット。
【請求項７】
前記ポリエステル・レーヨン織物または前記ポリエステル・レーヨン不織布には、リン系難燃剤が５０ｇ／ｃｍ３〜８０ｇ／ｃｍ３ 含まれている、請求項６に記載の消臭マットセット。
【手続補正２】
【補正対象書類名】明細書
【補正対象項目名】発明の名称
【補正方法】変更
【補正の内容】
【発明の名称】消臭マットセット
【手続補正３】
【補正対象書類名】明細書
【補正対象項目名】０００１
【補正方法】変更
【補正の内容】
【０００１】
本発明は、消臭マットセットに関する。さらに詳述すると、本発明は、尿あるいは腐敗臭を発しうる液体で床面が濡れて悪臭が発生する環境の消臭に好適な、微生物を利用した消臭マットセットに関する。
【手続補正４】
【補正対象書類名】明細書
【補正対象項目名】０００９
【補正方法】変更
【補正の内容】
【０００９】
本発明は、消臭マット類等の頻繁な交換を必要とすることなく、外観を清潔に保つことができ、尿あるいは腐敗臭を発しうる液体で床面が濡れて悪臭が発生する様々な環境において悪臭の発生を抑制することができる消臭マットセットを提供することを目的とする。
【手続補正５】
【補正対象書類名】明細書
【補正対象項目名】００１１
【補正方法】変更
【補正の内容】
【００１１】
本発明の消臭マットセットは、尿あるいは腐敗臭を発しうる液体で床面が濡れて悪臭が発生する環境を消臭する消臭マットセットであって、床面に敷かれ、吸水機能と保水機能と水分蒸散機能とを併せ持つ下マットと、下マット載置され、吸水性のない剛性素材によって形成された複数の通液孔を有する上マットと、消臭機能と芽胞形成機能とを併せ持つ通性好気性の微生物が添加された培養液とを含み、培養液は定期的にまたは随意の時間間隔で下マットに散布されて保持されるものとしている。
【手続補正６】
【補正対象書類名】明細書
【補正対象項目名】００１２
【補正方法】変更
【補正の内容】
【００１２】
また、本発明の消臭マットセットは、尿あるいは腐敗臭を発しうる液体で床面が濡れて悪臭が発生する環境を消臭する消臭マットセットであって、床面に敷かれ、吸水機能と保水機能と水分蒸散機能とを併せ持ち、消臭機能と芽胞形成機能とを併せ持つ通性好気性の微生物が添加された培養液を含む下マットと、下マットに載置され、吸水性のない剛性素材によって形成された複数の通液孔を有する上マットとを含むようにしている。
【手続補正７】
【補正対象書類名】明細書
【補正対象項目名】００１３
【補正方法】変更
【補正の内容】
【００１３】
したがって、本発明の消臭マットセットによると、下マットに吸収・保持される尿あるいは腐敗臭を発しうる液体及び培養液に由来する水分量と下マットの水分蒸散機能により蒸散される水分量とのバランスによって、下マットの含水率が消臭機能と芽胞形成機能とを併せ持つ通性好気性の微生物の至適範囲に制御される。その結果、尿あるいは腐敗臭を発しうる液体が下マットに長期に亘って吸収・保持され続け、この微生物の消臭機能が長期に亘って発揮され続ける。
【手続補正８】
【補正対象書類名】明細書
【補正対象項目名】００２０
【補正方法】変更
【補正の内容】
【００２０】
本発明の消臭マットセットによれば、尿あるいは腐敗臭を発しうる液体を下マットに長期に亘って吸収・保持させ続けて、消臭機能と芽胞形成機能とを併せ持つ通性好気性の微生物の消臭機能を長期に亘って発揮させ続けることができる。しかも、上マットを下マットの上に載置することによって、トイレ等の使用者に不快感を与えることなく、外観の清潔感を確保しつつも、悪臭の発生を確実に抑制することができる。したがって、定期的にまたは随意に培養液を添加するだけで、消臭マット類等の頻繁な交換を必要とすることなく、外観を清潔に保ち、尿あるいは腐敗臭を発しうる液体で床面が濡れて悪臭が発生する様々な環境において悪臭の発生を抑制することが可能となる。
【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
双方向通信デバイスであって、
ａ．筐体の一部分内、またはその上に配置された作動型変換器を有する骨伝導デバイスを備える口装着型通信機であって、前記一部分は、対象者の少なくとも１つの歯の表面で固定され、前記表面と振動通信し、前記筐体は、咬合表面が前記筐体によって閉塞されないように、前記筐体と前記少なくとも１つの歯の少なくとも２つの表面との間に締まり嵌めを生成する、口装着型通信機と、
ｂ．前記対象者の身体の外かつ上に配置された１つ以上の身体センサと、
ｃ．前記口装着型通信機に連結され、かつ、前記１つ以上の身体センサに通信可能に連結される、結合ユニットであって、遠隔ステーションと通信するように適合される、結合ユニットと、
ｄ．前記筐体内、またはその上に配置された電子機器アセンブリであって、前記１つ以上の身体センサは前記電子機器アセンブリと通信する、電子機器アセンブリと
を備える、双方向通信デバイス。
【請求項２】
前記口装着型通信機は、あつらえの口腔デバイスを備える、請求項１に記載の双方向通信デバイス。
【請求項３】
前記口装着型通信機は、その中に埋め込まれた１つ以上のセンサを備える、請求項１に記載の双方向通信デバイス。
【請求項４】
前記口装着型通信機は、データ記憶デバイスを備える、請求項１に記載の双方向通信デバイス。
【請求項５】
前記データ記憶デバイスは、暗号化される、請求項４に記載の双方向通信デバイス。
【請求項６】
前記口装着型通信機を、前記１つ以上の身体センサおよび前記結合ユニットと連結する、ローカルトランシーバを備える、請求項１に記載の双方向通信デバイス。
【請求項７】
前記ローカルトランシーバは、暗号化されたデータを伝送する、請求項６に記載の双方向通信デバイス。
【請求項８】
前記口装着型通信機を、前記１つ以上の身体センサおよび前記結合ユニットと連結する、無線ローカルエリアネットワーク（ＬＡＮ）または有線ＬＡＮを備える、請求項１に記載の双方向通信デバイス。
【請求項９】
前記結合ユニットは、広域ネットワーク（ＷＡＮ）に連結される、請求項１に記載の双方向通信デバイス。
【請求項１０】
前記遠隔ステーションは、衛星、携帯電話塔または中継局のうちの１つを備える、請求項１に記載の双方向通信デバイス。
【請求項１１】
援助を必要としている個人を識別するために、前記口装着型通信機に連結されるビーコンを備える、請求項１に記載の双方向通信デバイス。
【請求項１２】
前記ビーコンは、可聴信号、位置信号、可視信号を備える、請求項１１に記載の双方向通信デバイス。
【請求項１３】
前記身体センサは、バイタルサインまたは環境パラメータを感知する、請求項１に記載の双方向通信デバイス。
【請求項１４】
前記身体センサは、体温、環境温度、水和、心拍数、ＥＫＧ、ＥＥＧ、脈拍数、酸素飽和度、呼吸サイクル、空気流速度、ｐＨレベルのうちの１つ以上を感知する、請求項１に記載の双方向通信デバイス。
【請求項１５】
音を拾うためのマイクロフォンを備える、請求項１に記載の双方向通信デバイス。
【請求項１６】
前記マイクロフォンは、口腔内マイクロフォン、口腔外マイクロフォンのうちの１つ以上を含む、請求項１５に記載の双方向通信デバイス。
【請求項１７】
前記マイクロフォンは、ユーザの声を伝送するように構成される、請求項１５に記載の双方向通信デバイス。
【請求項１８】
前記口装着型通信機は、騒がしい環境内の労働者、芸能人または運動選手および／またはサポート要員、兵士、医者、消防士、緊急作業員のうちの１人によって使用される、請求項１に記載の双方向通信デバイス。
【請求項１９】
前記口装着型通信機、前記１つ以上の身体センサ、または前記結合ユニットに連結される、無線センサネットワークを備える、請求項１５に記載の双方向通信デバイス。
【請求項２０】
前記結合ユニットは、他の結合ユニットと無線通信して、ネットワークを形成する、請求項１５に記載の双方向通信デバイス。
【請求項２１】
前記結合ユニットは、他の結合ユニットと無線通信して、ローカルエリアネットワークを形成する、請求項１５に記載の双方向通信デバイス。
【請求項２２】
前記口装着型通信機は、受信した音を前記ユーザに提供するために、および前記ユーザに対する通信を提供するために、前記変換器に連結される、無線通信トランシーバをさらに備える、請求項１に記載の双方向通信デバイス。
【請求項２３】
前記デバイスは、前記少なくとも１つの歯に適合する形状を有する、口腔装置を備える、請求項１に記載の双方向通信デバイス。
【請求項２４】
前記筐体内、またはその上に配置され、前記変換器と通信する、電子機器アセンブリを備える、請求項１に記載の双方向通信デバイス。
【請求項２５】
双方向通信を提供するための方法であって、
ａ．口装着型通信機を口腔内に装着することであって、前記口装着型通信機は、対象者の口内に骨伝導デバイスを備え、前記通信機は、作動型変換器を有し、前記作動型変換器は、前記作動型変換器が前記対象者の少なくとも１つの歯の表面で固定され、前記表面と振動通信するように、筐体の一部分内、またはその上に配置され、前記筐体は、咬合表面が前記筐体によって閉塞されないように、前記筐体と前記少なくとも１つの歯の少なくとも２つの表面との間に締まり嵌めを生成する、ことと、
ｂ．前記対象者の身体の外かつ上に配置された１つ以上の身体センサを介して、１つ以上の身体パラメータまたは環境パラメータを感知することであって、前記１つ以上の身体センサは前記筐体内、またはその上に配置された電子機器アセンブリと通信する、ことと、
ｃ．前記口装着型通信機および前記１つ以上の身体センサを、遠隔ステーションに結合することと
を含む、方法。
【請求項２６】
前記作動型変換器は、圧電変換器である、請求項２５に記載の方法。
【請求項２７】
前記デバイスは、あつらえで嵌められた口腔デバイスである、請求項２５に記載の方法。
【請求項２８】
１つ以上のセンサを前記口装着型通信機に埋め込むことを含む、請求項２５に記載の方法。
【請求項２９】
医療または環境データを前記口装着型通信機に記憶することを含む、請求項２５に記載の方法。
【請求項３０】
後の法医学的分析のための、保護されたブラックボックスデバイスとしての前記口装着型通信機にデータを記憶することを含む、請求項２５に記載の方法。
【請求項３１】
ユーザ活動を監視することを含む、請求項２５に記載の方法。
【請求項３２】
前記１つ以上の身体センサのうちの少なくとも１つは、加速度計である、請求項３１に記載の方法。
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
支持体を送り出す工程と、
前記支持体上の一方面上にコーティング膜用の塗布液を塗布し、前記塗布液を乾燥し、又は／及び前記塗布液を硬化することによりコーティング膜を形成する工程と、
前記支持体を冷却する工程と、
前記コーティング膜上に、張力を調整してラミネートフィルムを貼り付ける工程と、
前記ラミネートフィルムを貼り付けた前記支持体をロールに巻き取る工程と、を有する機能性フィルムの製造方法。
【請求項２】
前記ラミネートフィルムを貼り付ける工程において、前記支持体は２０℃以上４０℃以下の温度を有する請求項１に記載の機能性フィルムの製造方法。
【請求項３】
前記支持体の冷却が、空冷又は冷却ロールにより行われる請求項１又は２に記載の機能性フィルムの製造方法。
【請求項４】
前記ラミネートフィルムを貼り付ける工程において、前記ラミネートフィルムを貼り付けるときの前記支持体の温度Ｔ０（℃）とし、前記ラミネートフィルムの張力をＦ（Ｎ／ｍ）としたときに下記式（１）を満たす請求項１から３のいずれか１項に記載の機能性フィルムの製造方法。
Ｔ０×Ｆ＜３０００・・・（１）
【請求項５】
前記ラミネートフィルムを貼り付ける工程と前記支持体をロールに巻き取る工程との間に前記支持体の温度を維持する工程をさらに有する請求項１から４のいずれか１項に記載の機能性フィルムの製造方法。
【請求項６】
前記支持体の温度を維持する工程において、前記ラミネートフィルムを貼り付けるときの前記支持体の温度Ｔ０（℃）とし、ロールに巻き取られるまでの前記支持体の温度をＴ１（℃）としたとき下記式（２）を満たす請求項５に記載の機能性フィルムの製造方法。
Ｔ０−Ｔ１＜２０・・・（２）
【請求項７】
前記ラミネートフィルムを貼り付ける工程において、前記ラミネートフィルムの前記コーティング膜への貼り付けを前記支持体の一方面からサポートローラにより行う請求項１から６のいずれか１項に記載の機能性フィルムの製造方法。
【請求項８】
前記サポートローラは１００ｍｍ以上の直径を有し、前記サポートローラと前記ラミネートフィルムとの接触長は８０ｍｍ以上である請求項７に記載の機能性フィルムの製造方法。
【請求項９】
前記ラミネートフィルムには、前記コーティング膜に対して１Ｎ／ｍ以上５Ｎ／ｍ以下の剥離力になる粘着材が使用される請求項１から８のいずれか１項に記載の機能性フィルムの製造方法。
【請求項１０】
巻き取られた前記ロールから前記ラミネートフィルムを貼り付けた前記支持体を送り出し、前記ラミネートフィルムを剥離した後、前記コーティング膜上に無機膜を成膜する工程と、をさらに有する請求項１から９のいずれか１項に記載の機能性フィルムの製造方法。
【請求項１１】
支持体を送り出す手段と、
前記支持体上の一方面上にコーティング膜用の塗布液を塗布する手段、
前記塗布液を乾燥し、又は／及び塗布液を硬化することによりコーティング膜を形成する手段と、
前記支持体を冷却する手段と、
前記コーティング膜上に、張力を調整してラミネートフィルムを貼り付ける手段と、
前記ラミネートフィルムを貼り付けた前記支持体をロールに巻き取る手段と、を有する機能性フィルムの製造装置。
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
キャブレターと、
該キャブレターに連結したクリーンサイド及びダーティサイドを有し、外部から該ダーティサイドに吸入された空気を浄化して前記クリーンサイドを介してエンジンに供給するエアクリーナと、
前記エアクリーナのクリーンサイドから前記エンジンの排気ポート側に対して二次空気を供給する二次空気供給機構と、
前記エンジンに排気管を介して接続された排気マフラーと、を備え、
該排気マフラー内に、唯一の触媒活性成分としてのパラジウム、触媒担持体としての無機多孔質体、唯一の助触媒成分としてのセリア（ＣｅＯ2）粒子及びバリウムを含有する単層としての触媒層を基材上に備えたパラジウム単層触媒が配置され、
前記パラジウムは前記セリア（ＣｅＯ2）粒子に担持されている、鞍乗型車両用排気ガス浄化装置。
【請求項２】
排気通路内を流れる排気ガスの空燃比が１５より大きくなるように設定された請求項１記載の鞍乗型車両用排気ガス浄化装置。
【請求項３】
前記パラジウム単層触媒は、前記セリア粒子を、触媒層１００質量部中に１５〜５０質量部の割合で含有することを特徴とする請求項１又は２に記載の鞍乗型車両用排気ガス浄化装置。
【請求項４】
前記パラジウム単層触媒は、前記パラジウムを、触媒層１００質量部中に０．００３〜２５質量部の割合で含有することを特徴とする請求項１〜３の何れかに記載の鞍乗型車両用排気ガス浄化装置。
【請求項５】
前記パラジウム単層触媒は、前記パラジウムを、基材1リットル当たり０．０１ｇ〜１０ｇ含有することを特徴とする請求項１〜４の何れかに記載の鞍乗型車両用排気ガス浄化装置。
【請求項６】
前記パラジウム単層触媒は、前記触媒層を、基材１リットル当たり４０ｇ〜３００ｇ含有することを特徴とする請求項１〜５の何れかに記載の鞍乗型車両用排気ガス浄化装置。
【手続補正２】
【補正対象書類名】明細書
【補正対象項目名】発明の名称
【補正方法】変更
【補正の内容】
【発明の名称】鞍乗型車両用排気ガス浄化装置及びそれに用いるパラジウム単層触媒
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
機体の内部に形成された所定の領域に可動装飾装置が配置された遊技機であって、
前記可動装飾装置は、
ベース部材と、
一端部と他端部とが前記ベース部材に取付固定され、正面方向に光を照射する第１光源及び前記所定の領域の中側に向けて光を照射する第２光源を少なくとも有する発光部と、
内部に前記第１光源と第２光源とを配置することができる中空の多角柱体に形成されており、該多角柱体を構成する各側面部が遊技機の演出表示に用いる表示部として形成され、前記発光部の一端部と他端部とを結ぶ軸を回動軸として前記発光部の周りを回動可能に設けられた可動体と、を備えたことを特徴とする遊技機。
【請求項２】
前記可動体を回動させる駆動手段を備え、
前記可動体は、
前記駆動手段の駆動力を伝達する伝達部と、
前記ベース部材に形成された嵌合部と嵌合可能に形成され、前記ベース部に対して前記可動体の他端部が位置決めされる第１位置決め部と、
前記発光部の他端部と嵌合可能に形成され、前記発光部の他端部を位置決めする第２位置決め部と、を有することを特徴とする請求項１記載の遊技機。
【手続補正２】
【補正対象書類名】明細書
【補正対象項目名】０００１
【補正方法】変更
【補正の内容】
【０００１】
本発明は、機体の内部に形成された所定の領域に可動装飾装置を設けた遊技機に関する。
【手続補正３】
【補正対象書類名】明細書
【補正対象項目名】０００７
【補正方法】変更
【補正の内容】
【０００７】
本発明は、
（１）機体の内部に形成された所定の領域に可動装飾装置が配置された遊技機であって、前記可動装飾装置は、ベース部材と、一端部と他端部とが前記ベース部材に取付固定され、正面方向に光を照射する第１光源及び前記所定の領域の中側に向けて光を照射する第２光源を少なくとも有する発光部と、内部に前記第１光源と第２光源とを配置することができる中空の多角柱体に形成されており、該多角柱体を構成する各側面部が遊技機の演出表示に用いる表示部として形成され、前記発光部の一端部と他端部とを結ぶ軸を回動軸として前記発光部の周りを回動可能に設けられた可動体と、を備えたことを特徴とする遊技機；
（２）前記可動体を回動させる駆動手段を備え、前記可動体は、前記駆動手段の駆動力を伝達する伝達部と、前記ベース部材に形成された嵌合部と嵌合可能に形成され、前記ベース部に対して前記可動体の他端部が位置決めされる第１位置決め部と、前記発光部の他端部と嵌合可能に形成され、前記発光部の他端部を位置決めする第２位置決め部と、を有することを特徴とする上記（１）記載の遊技機；
を要旨とする。
【手続補正書】
【提出日】平成26年6月4日(2014.6.4)
【手続補正１】
【補正対象書類名】明細書
【補正対象項目名】０００５
【補正方法】変更
【補正の内容】
【０００５】
【特許文献１】特開２００９−１８９７２５号公報
【手続補正２】
【補正対象書類名】明細書
【補正対象項目名】００１０
【補正方法】変更
【補正の内容】
【００１０】
また、上記中性子捕捉療法用コリメータにおいて、少なくとも一部のリーフ板は、第２方向に分割された複数の分割リーフ板を有し、複数の分割リーフ板は、照射方向にそれぞれ独立してスライド可能である。この場合、例えば被照射体の照射部位が第２方向にわたって丸みを帯びている場合においても、各分割リーフ板を照射方向にスライドさせて、リーフ板の辺縁を照射部位の表面に近づけることができる。これによって、中性子の散逸がより一層抑制される。
【手続補正３】
【補正対象書類名】明細書
【補正対象項目名】００１３
【補正方法】変更
【補正の内容】
【００１３】
また、照射方向支持部は、照射方向に沿ってスライド可能に支持された分割リーフ板に隣接する分割リーフ板に設けられると共に、照射方向に沿ってスライド可能に支持された分割リーフ板の端部を係止する係止部である。この場合、外側の分割リーフ板が照射方向支持部を兼ねるので、内側の分割リーフ板を支持する部材を別に用意する必要がなくなる。従って、コリメータ全体の大型化を抑制することができる。
【手続補正４】
【補正対象書類名】明細書
【補正対象項目名】００１８
【補正方法】変更
【補正の内容】
【００１８】
図１および図２に示されるように、中性子線照射装置１は、患者（被照射体）Ｐの患部（照射目標）Ｔに対して中性子線を照射する中性子捕捉療法装置である。この中性子線照射装置１は、予め患部Ｔに化合物として取り込ませたホウ素（１０Ｂ）と中性子との核反応により、患部Ｔの細胞を選択的に破壊するホウ素中性子捕捉療法（ＢＮＣＴ；Boron  Neutron  Capture  Therapy）用の装置である。中性子線照射装置１は、患者Ｐを載置する移動台２と、中性子を減速する減速装置３と、中性子を発生させるターゲット（中性子線発生部）７と、移動台２と減速装置３との間に設けられたコリメータ台（コリメータ支持部）４とを備えている。また、中性子線照射装置１は、患者Ｐの患部ＴのＸ線画像を撮像するためのＣＲシステム８を備えている。
【手続補正５】
【補正対象書類名】明細書
【補正対象項目名】００２１
【補正方法】変更
【補正の内容】
【００２１】
コリメータ台４には、移動台２側に突出するようにしてコリメータ（中性子捕捉療法用コリメータ）６が設けられている。このコリメータ６は、減速装置３から出射された中性子を所定の形状（照射範囲）に成形して、中性子を照射方向Ｙに取り出すためのものである。コリメータ台４は、前後方向に移動可能になっている。コリメータ台４の背面には、減速装置３の先端部３ａを受け入れる凹部が形成されている。コリメータ台４は、背面側の凹部に先端部３ａが進入した状態で使用される。治療の際には、患者Ｐを載置した載置台２ａをコリメータ台４の正面側に近接させ、患者Ｐの患部Ｔに対面するようにコリメータ６が配置される。
【手続補正６】
【補正対象書類名】明細書
【補正対象項目名】００３０
【補正方法】変更
【補正の内容】
【００３０】
また、リーフ板１３Ｂが備える複数の分割リーフ板１５が、照射方向Ｙにそれぞれ独立してスライド可能であるため、例えば患者Ｐの照射部位が左右方向Ｘにわたって丸みを帯びている場合においても、各分割リーフ板１４，１５を照射方向Ｙにスライドさせて、リーフ板１４，１５の辺縁を照射部位の体表Ｐａに近づけることができる（図４参照）。これによって、中性子の散逸がより一層抑制される。
【手続補正７】
【補正対象書類名】明細書
【補正対象項目名】００３４
【補正方法】変更
【補正の内容】
【００３４】
コリメータの基本的役割は、照射領域以外の放射線をカットし正常組織への曝射を無視できる量以下にすることである。従来の放射線治療（例えば、Ｘ線治療や陽子線治療）は基本的に一点から放射され直進する放射線を照射領域に合わせてコリメートするもので、平板状のコリメータを被照射体表面から数ｃｍ離れたところにセットする。中性子の場合、原子炉であっても加速器であってもそのほとんどは散乱線でありコリメータに比べて大変大きな領域からコリメータ方向に降り注ぐものを利用することになる。中性子の場合、点線源ではなく体積線源となるため、腫瘍からコリメータ開孔を見込む角度（立体角）が大きく、より広い線源領域からの中性子を利用できることが線量率を大きくするための条件となる。同時にコリメータと被照射体表面との間隙からの中性子の散逸を防止できればその成分の線量率の増加に反映でき、散逸した中性子が領域外の部分を曝射することを避けることができる。この中性子の利用効率の上昇が本発明の実施形態に係る中性子コリメータ６，２０の１つの効果である。もう１つの効果は、照射領域外の部分をカットし正常組織の被ばくを低減すること、並びにこの低減措置と相反する線量率増大の要求との相関を考慮した照射の最適化を諮ることである。
【手続補正８】
【補正対象書類名】明細書
【補正対象項目名】００３７
【補正方法】変更
【補正の内容】
【００３７】
照射方向支持部は、分割リーフ板１４に設けられた溝部１８としても良く、分割リーフ板１４の端部に別部材として支持機構を設けても良い。コリメータ台４は、独立して設けられていなくても良く、例えば遮蔽壁Ｗや減速装置３にコリメータを支持する部分を設けても良い。
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
遊技開始操作に基づいて役の当否を決定する内部抽選を行う内部抽選手段と、
前記遊技開始操作に基づいて前記複数のリールの回転を開始させ、停止操作を契機として、前記内部抽選の結果に応じた態様で回転中のリールを停止させる制御を行うリール制御手段とを備えた遊技機であって、
前記リール制御手段が、
前記遊技開始操作が行われてから前記停止操作が有効化されるまでの期間を調整し、所定条件下で前記遊技開始操作が行われると、前記複数のリールを第１動作態様で動作させ、特定期間を経過した後に前記停止操作を有効化することにより遊技の進行を遅延させる制御を行い、
前記停止操作が有効化されている場合に、各リールに対応して設けられた所定の操作手段に対する操作を前記停止操作として受け付けて、当該停止操作の時点から予め定められた最大引き込み期間内に当該停止操作に対応する回転中のリールを停止させる制御を行い、
前記特定期間において行われた所定の操作手段に対する操作を前記特定操作として受け付けて、当該特定操作に対応するリールであって、かつ前記第１動作態様で動作しているリールを仮停止させる制御を行い、
前記停止操作および前記特定操作を前記最大引き込み期間に基づく間隔で受け付ける制御を行うことを特徴とする遊技機。
【請求項２】
請求項１において、
前記リール制御手段が、
前記特定期間において前記複数のリールの全てが仮停止したことに基づいて、前記複数のリールを前記第１動作態様とは異なる第２動作態様で動作させることを特徴とする遊技機。
【請求項３】
請求項１または２において、
前記リール制御手段が、
前記特定期間が開始されてからの経過時間に基づいて前記特定操作を受け付けるか否かを判断することを特徴とする遊技機。
【請求項４】
請求項１〜３のいずれかにおいて、
前記リール制御手段が、
前記特定期間が開始されてから所定期間を経過すると、前記第１動作態様で動作しているリールを前記特定操作によらずに仮停止させる制御を行うことを特徴とする遊技機。
【請求項５】
請求項４において、
前記リール制御手段が、
前記特定期間の開始から所与の期間を経過した後であって、前記特定期間の開始から前記所定期間を経過するまでの一定期間においては、前記特定操作を無効化する制御を行うことを特徴とする遊技機。
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
遊技者の玉貸操作によって取得される遊技媒体と、所定の遊技動作の成立によって取得される遊技媒体とが、使用可能な遊技機であって、
玉貸操作によって減少する有価物の価値に対応して取得される遊技媒体の個数を把握する第一手段と、
遊技開始動作によって減少する遊技媒体の個数を把握する第二手段と、
所定の遊技動作の成立によって取得される遊技媒体の個数を把握する第三手段と、
第一手段ないし第三手段が把握した遊技媒体の個数を集計して、当該遊技者が保有する遊技媒体の総数を管理する第四手段とが、計数制御部を構成するＣＰＵによって、所定時間毎に繰り返し機能するよう構成され、
第四手段が把握する遊技媒体の総数が所定値に達するか近づくと、このことを遊技者に所定の注意報知を実行するよう構成されていることを特徴とする遊技機。
【手続補正２】
【補正対象書類名】明細書
【補正対象項目名】０００９
【補正方法】変更
【補正の内容】
【０００９】
上記の目的を達成するため、本発明は、遊技者の玉貸操作によって取得される遊技媒体と、所定の遊技動作の成立によって取得される遊技媒体とが、使用可能な遊技機であって、玉貸操作によって減少する有価物の価値に対応して取得される遊技媒体の個数を把握する第一手段と、遊技開始動作によって減少する遊技媒体の個数を把握する第二手段と、所定の遊技動作の成立によって取得される遊技媒体の個数を把握する第三手段と、第一手段ないし第三手段が把握した遊技媒体の個数を集計して、当該遊技者が保有する遊技媒体の総数を管理する第四手段とが、計数制御部を構成するＣＰＵによって、所定時間毎に繰り返し機能するよう構成され、第四手段が把握する遊技媒体の総数が所定値に達するか近づくと、このことを遊技者に所定の注意報知を実行するよう構成されている。
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
遊技者の操作に応答して遊技媒体が提供されるよう動作する管理装置が、遊技機本体に接続されて構成され、遊技媒体を使用した遊技動作に対応して得られた遊技成果を、直接的又は間接的に遊技者に提供する遊技機であって、
所定の操作部が、管理装置と遊技機本体とに重複して接続されて構成され、
所定の操作部のＯＮ動作を認識した管理装置からの管理情報を遊技機本体で受信する第１手段と、
第１手段において受信した管理情報が正常であることを条件に、所定の操作部のＯＮ動作に対応した遊技媒体の提供動作を開始する第２手段と、
所定時間経過までに管理装置から正常な管理情報を受信しない場合には、異常検知動作を開始する第３手段と、を設けたことを特徴とする遊技機。
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
遊技者の操作に応答して遊技媒体が提供されるよう動作する管理装置が遊技機本体に接続されて構成され、遊技媒体を使用した遊技動作に対応して得られた遊技成果を、直接的又は間接的に遊技者に提供する遊技機であって、
遊技者が遊技成果の清算を求める場合に、遊技者の操作に応答する清算要求信号を、遊技機本体から管理装置に伝送する第１手段と、
管理装置において清算要求信号が受理されたことを条件に、遊技成果を特定する数値情報を遊技機本体から管理装置に伝送する第２手段と、
管理装置において数値情報が受理されたことを条件に、受理された数値情報に基づいて遊技成果を更新する第３手段と、を設けたことを特徴とする遊技機。
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
遊技者の操作に応答して遊技媒体が提供されるよう動作する管理装置が遊技機本体に接続されて構成され、遊技媒体を使用した遊技動作に対応して得られた遊技成果を、直接的又は間接的に遊技者に提供する遊技機であって、
管理装置と遊技機本体とで、セキュリティ情報を共有する第１手段と、
遊技者が遊技媒体の提供を求める場合、及び／又は、遊技成果の清算を求める場合に、セキュリティ情報を付加した要求信号を、遊技機本体と管理装置との間で交信する第２手段と、
正当な要求信号を受けた場合に返信される許可信号を受けることを条件に、その後の動作を開始する第３手段と、を設けたことを特徴とする遊技機。
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
遊技者の操作に応答して遊技媒体が、実質的に遊技者に提供されるよう動作する管理装置が遊技機本体に接続可能に構成され、遊技媒体を使用した遊技動作に対応して得られた遊技成果を、直接的又は間接的に遊技者に提供する遊技機であって、
遊技者が遊技媒体の提供を求める場合、及び／又は、遊技成果の清算を求める場合に、遊技者の操作を示す操作信号を管理装置に送信する第１手段と、
操作信号を受けてからの経過時間を計時して、所定の経過時間内に操作信号に対応する応答信号を相手方から受けたか否かを判定する第２手段と、
正当に応答信号を受けたことを条件に所望の動作を開始する第３手段と、を設けたことを特徴とする遊技機。
【手続補正２】
【補正対象書類名】明細書
【補正対象項目名】０００８
【補正方法】変更
【補正の内容】
【０００８】
上記の目的を達成するため、本発明は、遊技者の操作に応答して遊技媒体が、実質的に遊技者に提供されるよう動作する管理装置が遊技機本体に接続可能に構成され、遊技媒体を使用した遊技動作に対応して得られた遊技成果を、直接的又は間接的に遊技者に提供する遊技機であって、遊技者が遊技媒体の提供を求める場合、及び／又は、遊技成果の清算を求める場合に、遊技者の操作を示す操作信号を管理装置に送信する第１手段と、操作信号を受けてからの経過時間を計時して、所定の経過時間内に操作信号に対応する応答信号を相手方から受けたか否かを判定する第２手段と、正当に応答信号を受けたことを条件に所望の動作を開始する第３手段と、を設けたことを特徴とする。
【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
吸引ホースと延長管とを連通させる連結管部と、電気掃除機本体と吸口体の動作を制御するグリップ部とを備えた電気掃除機用手元ハンドル部において、
前記グリップ部は、前記連結管部の前端部から上方に向けて立設して形成され、当該グリップ部の前方部分を構成するグリップ前方部と、当該グリップ部の後方部分を構成し、前記グリップ前方部の後端部から後方に向けて湾曲した棒状のグリップと、前記棒状のグリップの後端部と前記連結管部とを接続する接続部とから構成された環状の外観を備え、
前記環状のグリップ部は、前記グリップ前方部と前記棒状のグリップが接続された略アーチ状の外観を備えるとともに、前記棒状のグリップの上面が略直線状に形成されている
ことを特徴とする電気掃除機用手元ハンドル部。
【請求項２】
請求項１に記載の電気掃除機用手元ハンドル部において、
前記棒状のグリップは、その後部が前部より太く形成されている
ことを特徴とする電気掃除機用手元ハンドル部。
【請求項３】
請求項１または２に記載の電気掃除機用手元ハンドル部において、
前記棒状のグリップは、その太さが前方から後方に向けて徐々に太くなるように形成されている
ことを特徴とする電気掃除機用手元ハンドル部。
【請求項４】
請求項１から３の何れかに記載の電気掃除機用手元ハンドル部において、
前記棒状のグリップは、前方部分が横長の断面形状を備え、後方部分が縦長の断面形状を備えている
ことを特徴とする電気掃除機用手元ハンドル部。
【請求項５】
請求項１から４の何れかに記載の電気掃除機用手元ハンドル部において、
前記棒状のグリップは、前記延長管の中心軸に対して２０度＜α＜２５度の範囲で傾いて配置されている
ことを特徴とする電気掃除機用手元ハンドル部。
【請求項６】
請求項１から５の何れかに記載の電気掃除機用手元ハンドル部において、
前記連結管部は、前記延長管の一端と接続される第１連結管部と、前記吸引ホースの一端と接続される第２連結管部とを備え、
前記第１連結管部と前記第２連結管部は、前記延長管と前記吸引ホースを直線的に連通させるように構成されている
ことを特徴とする電気掃除機用手元ハンドル部。
【手続補正２】
【補正対象書類名】明細書
【補正対象項目名】００１１
【補正方法】変更
【補正の内容】
【００１１】
前記目的を達成するために、本発明に係る電気掃除機用手元ハンドル部は、吸引ホースと延長管とを連通させる連結管部と、電気掃除機本体と吸口体の動作を制御するグリップ部とを備えた電気掃除機用手元ハンドル部において、前記グリップ部は、前記連結管部の前端部から上方に向けて立設して形成され、当該グリップ部の前方部分を構成するグリップ前方部と、当該グリップ部の後方部分を構成し、前記グリップ前方部の後端部から後方に向けて湾曲した棒状のグリップと、前記棒状のグリップの後端部と前記連結管部とを接続する接続部とから構成された環状の外観を備え、前記環状のグリップ部は、前記グリップ前方部と前記棒状のグリップが接続された略アーチ状の外観を備えるとともに、前記棒状のグリップの上面が略直線状に形成されるように構成する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】０１０２
【補正方法】変更
【補正の内容】
【０１０２】
このような構成とすることにより、上述した各実施形態と同様、床面等の平坦な部分を掃除する際には、グリップ３５２の後方部分（太い部分）を軽く握るようにして吸口体５００を前後に動かして掃除を行なうことができる。
【手続補正６】
【補正対象書類名】明細書
【補正対象項目名】０１０３
【補正方法】変更
【補正の内容】
【０１０３】
また、吸口体５００を持ち上げる際には、グリップ３５２の前方部分（細い部分）をしっかりと握ることにより、吸口体５００を持ち上げるために必要な力を入れることができ、かつグリップ３５２の後部上面を支点とし、てこの原理を利用して吸口体５００を容易に持ち上げることができる。特に、グリップ３５２の後部上面を支点として吸口体５００を持ち上げることができるようにグリップ３５２を構成することで、上述した第１の実施形態、即ち、グリップの後部上面に凹み部３１０ａ（図２参照）が形成された手元ハンドル部と同様の作用効果を得ることができる。
【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
液体が流れる液体流路と、
前記液体流路を流れる液体を通して前記液体中に微小気泡を発生させる貫通孔を有する微小気泡発生部材と、
を備え、
前記微小気泡発生部材は、前記貫通孔の一端の開口であって前記液体が流入する流入口と、前記貫通孔の他端の開口であって前記流入口から流入した前記液体が流出する流出口とを有しており、少なくとも、前記流入口と前記流出口とが入れ替る回転範囲で回転可能に前記液体流路の経路中に設けられていることを特徴とする送液装置。
【請求項２】
液体が流れる液体流路と、
前記液体流路を流れる液体を通して前記液体中から異物を除去するフィルタ部材と、
を備え、
前記フィルタ部材は、前記液体が流入する流入面と、前記流入面から流入した前記液体が流出する流出面とを有しており、少なくとも、前記流入面と前記流出面が入れ替る回転範囲で回転可能に前記液体流路の経路中に設けられていることを特徴とする送液装置。
【請求項３】
液体が流れる内部流路を有する本体と、
前記内部流路を流れる液体を通して前記液体中に微小気泡を発生させる貫通孔を有する微小気泡発生部材と、
を備え、
前記微小気泡発生部材は、前記貫通孔の一端の開口であって前記液体が流入する流入口と、前記貫通孔の他端の開口であって前記流入口から流入した前記液体が流出する流出口とを有しており、少なくとも、前記流入口と前記流出口とが入れ替る回転範囲で回転可能に前記内部流路内に設けられていることを特徴とする微小気泡発生装置。
【請求項４】
液体が流れる内部流路を有する本体と、
前記内部流路を流れる液体を通して前記液体中から異物を除去するフィルタ部材と、
を備え、
前記フィルタ部材は、前記液体が流入する流入面と、前記流入面から流入した前記液体が流出する流出面とを有しており、少なくとも、前記流入面と前記流出面が入れ替る回転範囲で回転可能に前記内部流路内に設けられていることを特徴とする異物除去装置。
【請求項５】
液体を通す貫通孔を有する本体と、
前記本体内で回転可能な弁体とを有し、
前記弁体は、前記貫通孔の一端の開口であって前記液体が流入する流入口と、前記貫通孔の他端の開口であって前記流入口から流入した前記液体が流出する流出口とを有しており、少なくとも、前記流入口と前記流出口とが入れ替る回転範囲で回転可能に設けられていることを特徴とする弁構造。
【手続補正２】
【補正対象書類名】明細書
【補正対象項目名】発明の名称
【補正方法】変更
【補正の内容】
【発明の名称】送液装置、微小気泡発生装置、異物除去装置及び弁構造
【手続補正３】
【補正対象書類名】明細書
【補正対象項目名】０００７
【補正方法】変更
【補正の内容】
【０００７】
本発明が解決しようとする課題は、安定した送液を維持することができ、さらに、作業性を向上させることができる送液装置、微小気泡発生装置、異物除去装置及び弁構造を提供することである。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００３４
【補正方法】変更
【補正の内容】
【００３４】
この弁体１３の回転範囲は、微小気泡発生部材１２の流入口Ｈ１と流出口Ｈ２とが入れ替る回転範囲である。この回転範囲は、内部流路１１ａや貫通孔１３ａの径によって変わるが、例えば、本実施形態の場合、弁体１３内の微小気泡発生部材１２の貫通孔１２ａと本体１１の内部流路１１ａとが平行である場合（図２に示す状態）の回転角度を０（ゼロ）度とすると、回転角度が９０度より大きく２７０度未満の範囲であり、好ましくは、１８０度以上から２７０度未満の範囲である。なお、弁体１３が９０度回転した場合、本体１１の内部流路１１ａは閉状態となり、さらに、弁体１３が０度あるいは１８０度回転した場合、本体１１の内部流路１１ａは完全な開状態になる。
【手続補正７】
【補正対象書類名】明細書
【補正対象項目名】００５３
【補正方法】変更
【補正の内容】
【００５３】
弁体１３は、フィルタ部材２２の流入面Ｍ１と流出面Ｍ２とが入れ替る回転範囲で回転可能に形成されている。この回転範囲は、内部流路１１ａや貫通孔１３ａの径によって変わるが、例えば、本実施形態の場合、弁体１３内のフィルタ部材２２の流入面Ｍ１と本体１１の内部流路１１ａとが直交する場合（図３に示す状態）の回転角度を０（ゼロ）度とすると、回転角度が９０度より大きく２７０度未満の範囲であり、好ましくは、１８０度以上から２７０度未満の範囲である。なお、弁体１３が９０度回転した場合、本体１１の内部流路１１ａは閉状態となり、さらに、弁体１３が０度あるいは１８０度回転した場合、本体１１の内部流路１１ａは完全な開状態となる。
【手続補正書】
【提出日】平成25年12月2日(2013.12.2)
【手続補正１】
【補正対象書類名】特許請求の範囲
【補正対象項目名】請求項１
【補正方法】変更
【補正の内容】
【請求項１】
コンピュータによって実行され、複数のワークを接合する際に溶接される溶接打点群から、前記ワークの位置決め後に溶接される仮付け打点群と、前記仮付け打点群の後に溶接される増打ち打点群とを選別するスポット打点選別方法であって、
前記溶接打点群を溶接した状態のもとで、前記溶接打点群を構成する溶接打点のそれぞれに作用する応力を演算する応力演算ステップと、
前記溶接打点に作用する応力の大きさに基づいて、前記溶接打点のそれぞれを前記仮付け打点群の仮付け打点または前記増打ち打点群の増打ち打点に設定する打点設定ステップとを有することを特徴とするスポット打点選別方法。
【手続補正２】
【補正対象書類名】特許請求の範囲
【補正対象項目名】請求項５
【補正方法】変更
【補正の内容】
【請求項５】
コンピュータによって実行され、複数のワークを接合する際に溶接される溶接打点群から、前記ワークの位置決め後に溶接される仮付け打点群と、前記仮付け打点群の後に溶接される増打ち打点群とを選別するスポット打点選別プログラムであって、
前記溶接打点群を溶接した状態のもとで、前記溶接打点群を構成する溶接打点のそれぞれに作用する応力を演算する応力演算ステップと、
前記溶接打点に作用する応力の大きさに基づいて、前記溶接打点のそれぞれを前記仮付け打点群の仮付け打点または前記増打ち打点群の増打ち打点に設定する打点設定ステップとを有することを特徴とするスポット打点選別プログラム。
【手続補正３】
【補正対象書類名】明細書
【補正対象項目名】０００７
【補正方法】変更
【補正の内容】
【０００７】
本発明のスポット打点選別方法は、コンピュータによって実行され、複数のワークを接合する際に溶接される溶接打点群から、前記ワークの位置決め後に溶接される仮付け打点群と、前記仮付け打点群の後に溶接される増打ち打点群とを選別するスポット打点選別方法であって、前記溶接打点群を溶接した状態のもとで、前記溶接打点群を構成する溶接打点のそれぞれに作用する応力を演算する応力演算ステップと、前記溶接打点に作用する応力の大きさに基づいて、前記溶接打点のそれぞれを前記仮付け打点群の仮付け打点または前記増打ち打点群の増打ち打点に設定する打点設定ステップとを有することを特徴とする。
【手続補正４】
【補正対象書類名】明細書
【補正対象項目名】００１１
【補正方法】変更
【補正の内容】
【００１１】
本発明のスポット打点選別プログラムは、コンピュータによって実行され、複数のワークを接合する際に溶接される溶接打点群から、前記ワークの位置決め後に溶接される仮付け打点群と、前記仮付け打点群の後に溶接される増打ち打点群とを選別するスポット打点選別プログラムであって、前記溶接打点群を溶接した状態のもとで、前記溶接打点群を構成する溶接打点のそれぞれに作用する応力を演算する応力演算ステップと、前記溶接打点に作用する応力の大きさに基づいて、前記溶接打点のそれぞれを前記仮付け打点群の仮付け打点または前記増打ち打点群の増打ち打点に設定する打点設定ステップとを有することを特徴とする。
【手続補正５】
【補正対象書類名】明細書
【補正対象項目名】００１９
【補正方法】変更
【補正の内容】
【００１９】
以下、本発明の一実施の形態であるスポット打点選別方法およびスポット打点選別プログラムについて説明する。ここで、図３はシミュレーション装置３０を示すブロック図であり、このシミュレーション装置（コンピュータ）３０によってスポット打点選別方法およびスポット打点選別プログラムが実行される。図３に示すように、シミュレーション装置３０は、ＣＰＵやメモリ等によって構成される演算装置３１、キーボード等の入力装置３２、液晶ディスプレイ等の表示装置３３、磁気ディスク等の記憶装置３４を備えている。また、シミュレーション装置３０の記憶装置３４には、後述するスポット打点情報、仮付けステージ情報、応力演算情報等が格納されている。そして、シミュレーション装置３０の演算装置３１は、記憶装置３４に格納される情報や入力装置３２から入力される情報に基づき、設計されたスポット打点群(溶接打点群)から仮付け打点群と増打ち打点群とを選別する。なお、スポット打点群とは複数のスポット打点Ｐａを意味し、仮付け打点群とは複数の仮付け打点Ｐｂを意味し、増打ち打点群とは複数の増打ち打点Ｐｃを意味している。
【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
患者の医用画像を取得するための医療装置と、該医療装置と接続され前記医療装置にて取得された前記医用画像を含めた患者の医療情報を管理するための医療情報管理装置とを有する医療情報管理システムにおいて、
前記医療装置は、
患者の医用画像を得るための画像取得手段と、
該画像取得手段を操作する操作者を特定するための識別情報を入力するための入力手段と、
前記画像取得手段により取得された前記医用画像と前記入力手段により入力された前記識別情報と関連付けるとともに，前記医用画像に前記識別情報が組み込まれた医療情報データとして第１記憶部に記憶させる第１制御手段と、
前記第１記憶部に記憶された前記医療情報データを前記医療情報管理装置側に出力するための出力手段と、
を備えることを特徴とする医療情報管理システム。
【請求項２】
請求項１に記載の医療情報管理システムにおいて、前記医療情報管理装置は、前記出力手段により出力された前記医療情報データを記憶する第２記憶部と、該第２記憶手段に記憶された前記医療情報データを呼び出した際に前記医用画像と前記識別情報とを可視化した状態でモニタ及びプリンタの少なくとも一方に出力させる第２制御手段と、を有することを特徴とする医療情報管理システム。
【請求項３】
請求項２に記載の医療情報管理システムにおいて、前記第２制御手段は第２記憶部から呼び出された前記医療情報データを前記医用画像と前記識別情報とに分け，前記モニタに表示された医療情報管理画面上に用意された所定の表示欄に前記医用画像を組み込むと共に、該表示欄とは別の表示欄に前記識別情報を組み込む処理を行うことを特徴とする医療情報管理システム。
【請求項４】
請求項３の医療情報管理システムにおいて、前記医療装置は患者眼を撮影するための眼科撮影装置であり、前記医用画像は患者眼の撮影画像であることを特徴とする医療情報管理システム。
【手続補正２】
【補正対象書類名】明細書
【補正対象項目名】０００７
【補正方法】変更
【補正の内容】
【０００７】
（１）  患者の医用画像を取得するための医療装置と、該医療装置と接続され前記医療装置にて取得された前記医用画像を含めた患者の医療情報を管理するための医療情報管理装置とを有する医療情報管理システムにおいて、前記医療装置は、患者の医用画像を得るための画像取得手段と、該画像取得手段を操作する操作者を特定するための識別情報を入力するための入力手段と、前記画像取得手段により取得された前記医用画像と前記入力手段により入力された前記識別情報と関連付けるとともに，前記医用画像に前記識別情報が組み込まれた医療情報データとして第１記憶部に記憶させる第１制御手段と、前記第１記憶部に記憶された前記医療情報データを前記医療情報管理装置側に出力するための出力手段と、を備えることを特徴とする。
【手続補正書】
【提出日】平成26年1月31日(2014.1.31)
【手続補正１】
【補正対象書類名】明細書
【補正対象項目名】００５５
【補正方法】変更
【補正の内容】
【００５５】
図８は、メモリ１２の所定領域に記憶されている測定値の具体例を示す図である。
図８を参照して、処理部１０５は、上記認証に成功すると、各測定器から入力された測定値を、各測定器の測定器ＩＤと共に関連付けて記憶する。一例として、図８に示されるように、各測定値に測定時が予め規定された時間内である測定値について、概ね同じタイミングに測定された測定値として、そのうちの１つの測定値の測定時を代表の測定時として、その測定日時ごとに測定値群を記憶させる。図８の例では、１行ごとに１つの測定日時に関連付けられた測定値群が示されている。